(57)【要約】【課題】  連続した早送り再生又は頭出し再生を高速に行う。【解決手段】  ディスク状記録媒体２に記録されているデータを読み出す読出部１０と、読出部１０により読み出したデータを記憶部１７に書き込む書込部１４と、少なくとも早送り／頭出し信号を生成する信号生成部１２と、早送り／頭出し信号が所定時間以上連続して供給されたとき、早送り再生するように読出部１０を制御し、早送り／頭出し信号が所定時間以上連続して供給されないとき、頭出し再生するように読出部１０を制御する第１の制御部１８とを備え、第１の制御部１８は、信号生成部１２で生成した早送り／頭出し信号が所定時間以上連続して供給されず、頭出し再生するように読出部１０を制御した場合、その後に信号生成部１２から供給されてくる早送り／頭出し信号を所定時間以上連続して供給されないものと予測し、頭出し再生するように読出部１０を予測制御する。【選択図】  図１
2005038533.tif 000002
【特許請求の範囲】
【請求項１】
ディスク状記録媒体に記録されているデータを読み出す読出手段と、
上記読出手段により読み出したデータを記憶部に書き込む書込み手段と、
早送り／頭出し信号を生成する信号生成手段と、
上記信号生成手段で生成した上記早送り／頭出し信号が所定時間以上連続して供給されたとき、早送り再生するように上記読出手段を制御し、上記信号生成手段で生成した上記早送り／頭出し信号が所定時間以上連続して供給されないとき、頭出し再生するように上記読出手段を制御する第１の制御手段とを備え、
上記第１の制御手段は、上記信号生成手段で生成した上記早送り／頭出し信号が所定時間以上連続して供給されず、頭出し再生するように上記読出手段を制御した場合、その後に上記信号生成手段から供給されてくる早送り／頭出し信号を所定時間以上連続して供給されないものと予測し、頭出し記憶するように上記読出手段を制御（以下「予測制御」という。）することを特徴とする再生装置。
【請求項２】
上記信号生成手段から供給された上記早送り／頭出し信号に基づき上記書込み手段を制御する第２の制御手段とを備え、
上記第２の制御手段は、上記信号生成手段から上記早送り／頭出し信号が供給された場合に、上記記憶部から所定の再生時間分に相当するデータを残し、それ以外のデータを消去し、当該消去した領域に上記読出手段から供給されてくるデータを書き込むように上記書込み手段を制御することを特徴とする請求項１記載の再生装置。
【請求項３】
上記記憶部は、リングバッファであることを特徴とする請求項１記載の再生装置。
【請求項４】
上記ディスク状記録媒体は、データがトラックごとに形成されており、
上記読出手段は、
上記第１の制御手段により早送り再生をするように制御されたとき、上記ディスク状記録媒体から所定の間隔でデータを読み出し、読み出したデータを上記書込み手段に供給し、
上記第１の制御手段により頭出し再生をするように制御されたとき、上記ディスク状記録媒体から現在データを読み出しているトラックから、次のトラックの先頭にジャンプし、当該トラックの先頭のデータを読み出し、読み出したデータを上記書込み手段に供給することを特徴とする請求項１記載の再生装置。
【請求項５】
上記第１の制御手段は、上記読出手段に頭出し再生をするように予測制御を行った際に、上記信号生成手段から供給されてくる早送り／頭出し信号が所定時間以上連続して供給された場合には、当該予測制御により頭出し再生したトラックの一つ前のトラックの先頭に戻り、早送り再生するように上記読出手段を制御することを特徴とする請求項１記載の再生装置。
【請求項６】
ディスク状記録媒体からデータを読み出し、読み出したデータを記憶部に記憶し、上記記憶部からデータを読み出し、再生を行っているときに、データの早送り再生又は頭出し再生を行う旨の信号（以下「早送り／頭出し信号」という。）が供給され、上記早送り／頭出し信号が所定時間以上連続して供給されたとき、早送り再生を行い、上記早送り／頭出し信号が所定時間以上連続して供給されないとき、頭出し再生を行う再生方法において、
上記記憶部からデータを読み出し、再生を行っているときに、上記早送り／頭出し信号が所定時間以上連続して供給されず、頭出し再生を行った場合、その後に供給されてくる早送り／頭出し信号を所定時間以上連続して供給されないものと予測し、頭出し記憶を行うことを特徴とする再生方法。
【請求項７】
上記早送り／頭出し信号が供給された場合に、上記記憶部から所定の再生時間分に相当するデータを残し、それ以外のデータを消去し、当該消去した領域に上記ディスク状記録媒体から読み出したデータを書き込むことを特徴とする請求項６記載の再生方法。
【発明の詳細な説明】
【技術分野】
【０００１】
本発明は、ディスク状記録媒体に記録されているデータを再生する再生装置及び方法に関し、詳しくは、データの特殊再生時における制御に関する。
【背景技術】
【０００２】
音楽データが記録されたディスク状記録媒体から音楽データを再生する再生装置には、音楽データの再生開始の操作を行うプレイキー、音楽データの再生停止の操作を行うストップキー、再生中の音楽データの一時停止の操作を行うポーズキー、再生中の音楽データを早送り又は次の曲の先頭にジャンプする操作を行う早送り／頭出しキー及び再生中の音楽データを巻き戻し又は前の曲の先頭にジャンプする操作を行う巻き戻し／頭出しキー等を有する操作部が備えられている。
【０００３】
再生装置は、操作部の早送り／頭出しキーがユーザにより押圧されたとき、その押圧され続けた時間（以下「押圧時間」という。）が所定の時間ｔ以内であれば頭出し再生を行い、押圧時間が所定の時間ｔ以上であれば早送り再生を行う。例えば、再生装置は、通常の再生を行っているときに、図５に示すように、早送り／頭出しキーが押圧され（所定の時間ｔを５００ｍｓとする）、３００ｍｓ経過後に早送り／頭出しキーが離されたときには、押圧時間が５００ｍｓに達していないため頭出し再生であると判断し、現在再生中の曲の次の曲の先頭にジャンプする。
【０００４】
また、再生装置は、通常の再生を行っているときに、図５に示すように、早送り／頭出しキーが押圧され、５００ｍｓ経過後も早送り／頭出しキーが押圧され続けたけたときには、早送り再生であると判断し、早送り再生を行う（特許文献１参照）。
【０００５】
ここで、上述した再生装置が通常再生を行っているときに、早送り／頭出し再生を行う場合の動作について図６に示すフローチャートを用いて説明する。
【０００６】
再生装置は、プレイキーの押圧により音楽データの再生を開始すべく、ディスク状記録媒体から順次データを読み出し、読み出したデータを記憶部に記憶（以下「通常再生記憶」という。）し、所定量のデータが記憶されたときに、記憶部からデータを読み出す。
【０００７】
このように通常の再生が行われているときに、早送り／頭出しキーが押圧された場合には（ステップＳ２０）、再生装置は、自動的に早送り再生をすべくディスク状記録媒体から所定間隔でデータを読み出し、読み出したデータを記憶部に記憶（以下「早送り記憶」という。）する（ステップＳ２１）。
【０００８】
そして、再生装置は、早送り／頭出しキーが所定の時間ｔ以上押圧されたかどうかを判断する（ステップＳ２２）。再生装置は、早送り／頭出しキーが所定の時間ｔ以上押圧された場合には、早送り記憶を行うべく、そのまま早送り記憶を続ける（ステップＳ２３）。そして、再生装置は、記憶部に所定量のデータが記憶されたときに、当該記憶部からデータを読み出し再生を行う（ステップＳ２４）。
【０００９】
一方で、再生装置は、早送り／頭出しキーが所定の時間ｔ以上押圧されなかった場合には、頭出し記憶を行うべく次の曲の先頭にジャンプし、当該曲の先頭からデータを読み出し、読み出したデータを記憶部に記憶（以下「頭出し記憶」という。）する（ステップＳ２５）。そして、再生装置は、記憶部に所定量のデータが記憶されたときに、当該記憶部からデータを読み出し再生を行う（ステップＳ２６）。
【００１０】
なお、再生装置は、通常再生を行っているときに、頭出し再生を行うときには、早送り記憶により記憶部に記憶したデータを全て消去し、消去後の記憶部に頭出し記憶を行う。
【００１１】
ところで、このような再生装置では、連続的に頭出し再生記憶を行うときでも、毎回早送り記憶により記憶部に記憶したデータを全て消去する作業を行うので、無駄な早送り記憶が行われることになり、早送り記憶の際に必要となる電力が無駄になる問題がある。
【００１２】
また、従来の再生装置では、図５に示すように、頭出し再生を行うたびに、次の曲の先頭のデータを記憶部に記憶し直すため、頭出し再生に多大な時間が掛かる問題がある。
【００１３】
【特許文献１】特開平１０−１４９６３２号公報
【発明の開示】
【発明が解決しようとする課題】
【００１４】
そこで、本発明は、上述したような問題点に鑑みて提案されたものであり、頭出し再生が連続した際に無駄な早送り記憶を行わず、かつ頭出し再生を短時間で行うことが可能な再生装置及び方法を提供することを目的とする。
【課題を解決するための手段】
【００１５】
本発明に係る再生装置は、上述の課題を解決するために、ディスク状記録媒体に記録されているデータを読み出す読出手段と、上記読出手段により読み出したデータを記憶部に書き込む書込み手段と、早送り／頭出し信号を生成する信号生成手段と、上記信号生成手段で生成した上記早送り／頭出し信号が所定時間以上連続して供給されたとき、早送り再生するように上記読出手段を制御し、上記信号生成手段で生成した上記早送り／頭出し信号が所定時間以上連続して供給されないとき、頭出し再生するように上記読出手段を制御する第１の制御手段とを備え、上記第１の制御手段は、上記信号生成手段で生成した上記早送り／頭出し信号が所定時間以上連続して供給されず、頭出し再生するように上記読出手段を制御した場合、その後に上記信号生成手段から供給されてくる早送り／頭出し信号を所定時間以上連続して供給されないものと予測し、頭出し記憶するように上記読出手段を制御（以下「予測制御」という。）する。
【００１６】
また、本発明に係る再生方法は、上述の課題を解決するために、ディスク状記録媒体からデータを読み出し、読み出したデータを記憶部に記憶し、上記記憶部からデータを読み出し、再生を行っているときに、データの早送り再生又は頭出し再生を行う旨の信号（以下「早送り／頭出し信号」という。）が供給され、上記早送り／頭出し信号が所定時間以上連続して供給されたとき、早送り再生を行い、上記早送り／頭出し信号が所定時間以上連続して供給されないとき、頭出し再生を行う再生方法において、上記記憶部からデータを読み出し、再生を行っているときに、上記早送り／頭出し信号が所定時間以上連続して供給されず、頭出し再生を行った場合、その後に供給されてくる早送り／頭出し信号を所定時間以上連続して供給されないものと予測し、頭出し記憶を行う。
【発明の効果】
【００１７】
本発明に係る再生装置及び方法は、通常再生を行っているときにユーザの操作により早送り／頭出しキーが押圧されたときに、当該早送り／頭出しキーの押圧時間を待たずに、第１の制御手段で前回の再生動作に基づき再生動作を予測し、当該予測に基づきディスク状記録媒体から読み出したデータを記憶部の任意の位置から書き込み始めるので、同一の再生動作を連続して行うときに、記憶部に無駄なデータを書き込まないので、無駄な動作により生ずる電力消費を無くすことができ、かつ再生動作を短時間で行なうことができる。
【発明を実施するための最良の形態】
【００１８】
以下、本発明の実施の形態について図面を参照しながら詳細に説明する。
【００１９】
本発明は、例えば図１に示すような再生装置１に適用される。再生装置１は、ディスク状記録媒体２からデータを読み出す第１の読出部１０と、第１の読出部１０で読み出したデータに所定の処理を行う処理部１１と、ユーザの操作に応じて所定の操作信号を生成する操作部１２と、操作部１２で生成した操作信号に応じて第１の読出部１０及び処理部１１を制御する制御部１３とを備え、ディスク状記録媒体２に記録されている音楽データを再生する。
【００２０】
第１の読出部１０は、処理部１１と制御部１３とに接続されており、制御部１３の制御に応じて、ディスク状記録媒体２にアクセスして所定のデータを読み出し、読み出したデータを処理部１１に出力する。
【００２１】
処理部１１は、第１の読出部１０から供給されてきたデータを記憶部１７に書き込む書込部１４と、記憶部１７に書き込まれているデータを読み出す第２の読出部１５と、第２の読出部１５で読み出したデータをデコード処理するデコード部１６とを備える。書込部１４は、第１の読出部１０と、制御部１３と、記憶部１７とに接続されており、制御部１３の制御に応じて、第１の読出部１０から供給されてくるデータを記憶部１７に書き込む。第２の読出部１５は、デコード部１６と、記憶部１７とに接続されており、記憶部１７に書き込まれているデータを読み出し、デコード部１６に出力する。デコード部１６は、第２の読出部１５から供給されたデータにデコード処理を行う。記憶部１７は、例えば、ＳＤＲＡＭ（Synchronous Dynamic RAM）とし、リングバッファとして用いる。
【００２２】
操作部１２は、音楽データの再生開始の操作を行うプレイキー、音楽データの再生停止の操作を行うストップキー、再生中の音楽データの一時停止の操作を行うポーズキー、再生中の音楽データを早送り又は次の曲の先頭にジャンプする操作を行う早送り／頭出しキー及び再生中の音楽データを巻き戻し又は前の曲の先頭にジャンプする操作を行う巻き戻し／頭出しキー等を有する。操作部１２は、ユーザにより押圧されるキーに応じた操作信号を生成し、生成した操作信号を制御部１３に出力する。
【００２３】
制御部１３は、操作部１２から供給された操作信号に応じて第１の読出部１０を制御する第１の制御部１８と、第１の制御部１８を介して供給される操作信号に応じて処理部１１の書込部１４を制御する第２の制御部１９とを備える。
【００２４】
ここで、再生装置１により通常の再生を行っているときに、早送り／頭出し再生を行う場合の動作について図２に示すフローチャートを用いて説明する。なお、ユーザの操作により操作部１２のプレイキーが押圧され、再生装置１は、通常の再生を行っているものとする。また、再生装置は、操作部１２のプレイキーの押圧により音楽データの再生を開始したときには、ディスク状記録媒体２から順次データを読み出し、読み出したデータを記憶部に記憶（以下「通常再生記憶」という。）し、所定量のデータが記憶されたときに、記憶部からデータを読み出す。
【００２５】
ステップＳ１において、第１の制御部１８は、操作部１２から早送り／頭出し再生用の操作信号が供給される。
【００２６】
ステップＳ２において、第１の制御部１８は、前回が頭出し再生であったかどうかを判断する。第１の制御部１８は、前回、操作部１２から供給された操作信号を保持するためのメモリを有しており、操作部１２から新たに早送り／頭出し再生用の操作信号が供給されたときに、当該メモリに記憶されている情報を参照し、前回が頭出し再生であったかどうかを判断する。
【００２７】
前回が頭出し再生でなかった場合には、ステップＳ３に進み、前回が頭出し再生であった場合には、ステップＳ９に進む。
【００２８】
ステップＳ３において、第１の制御部１８は、操作部１２から供給されてくる早送り／頭出し再生用の制御信号を所定時間以上連続して供給されるものと予測し、早送り記憶をするように第１の読出部１０を制御する。第１の読出部１０は、ディスク状記録媒体２から所定間隔でデータを読み出し、読み出したデータを書込部１４に供給する。また、第１の制御部１８は、操作部１２から早送り／頭出し再生用の制御信号を受け取った旨の信号を第２の制御部１９に供給する。第２の制御部１９は、第１の制御部１８から供給された信号に基づき書込部１４を制御する。
【００２９】
ここで、第２の制御部１９により制御された書込部１４の動作について図３を用いて以下に説明する。書込部１４は、通常再生のときには、記憶部１７のセクタ１から順にデータを書き込む。また、第２の読出部１５は、記憶部１７に所定量のデータが書き込まれたときに当該記憶部１７からデータを読み出す。なお、第２の読出部１５によりデータを読み出す記憶部１７上の読み出しポイントＰ１は、書込部１４によりデータを書き込んでいる記憶部１７上の書き込みポイントＰ２を超えないものとする。
【００３０】
書込部１４は、例えば、セクタ１９にデータを書き込んでいるときに第２の制御部１９により制御信号が供給された場合には、第２の読出部１５により現在読み出している読み出しポイントＰ１（１２セクタ）から所定セクタ（例えば、５セクタ）分のデータを残し、それ以降（セクタ１７以降）全てのデータを消去し、所定のセクタ（セクタ１７）に書き込みポイントＰ２を移動し、第１の読出部１０から供給されるデータの書き込みを行う。なお、本願発明に係る再生装置１では、１セクタが１００ｍｓとしているので、５セクタで５００ｍｓ分のデータを残すことになる。
【００３１】
ステップＳ４において、第１の制御部１８は、操作部１２から供給される早送り／頭出し再生用の制御信号が所定の時間ｔ（例えば、５００ｍｓ）以上連続して供給されたかどうかを判断する。制御信号が所定の時間ｔ以上連続して供給されないとき（ステップＳ３での予測が外れたとき）には、ステップＳ５に進み、制御信号が所定の時間ｔ以上連続して供給されたとき（ステップＳ３での予測が的中したとき）には、ステップＳ７に進む。
【００３２】
ステップＳ５において、第１の制御部１８は、頭出し再生を行うべく次の曲の先頭にジャンプし、当該曲の先頭からデータを読み出すように第１の読出部１０を制御する。第１の読出部１０は、第１の制御部１８の制御に応じて、早送り記憶を停止し、ディスク状記録媒体２から次の曲の先頭データを読み出し、読み出したデータを書込部１４に出力する。なお、第１の読出部１０が読み出すデータは、先頭データであれば次の曲でなくてもよく、現在の曲若しくは前の曲の先頭データであってもよい。
【００３３】
ステップＳ６において、第２の読出部１５は、記憶部１７に所定量のデータが書き込まれたときにデータを読み出しデコード部１６に供給する。
【００３４】
また、ステップＳ７において、第１の制御部１８は、引き続き早送り再生を行うべく第１の読出部１０を制御する。
【００３５】
ステップＳ８において、第２の読出部１５は、記憶部１７に所定量のデータが書き込まれたときにデータを読み出しデコード部１６に供給する。
【００３６】
ステップＳ９において、第１の制御部１８は、操作部１２から供給されてくる早送り／頭出し再生用の制御信号を所定時間以上連続して供給されないものと予測し、頭出し再生をするように第１の読出部１０を制御する。第１の読出部１０は、ディスク状記録媒体２から次の曲の先頭のデータを読み出し、読み出したデータを書込部１４に供給する。また、第１の制御部１８は、操作部１２から早送り／頭出し再生用の制御信号を受け取った旨の信号を第２の制御部１９に供給する。第２の制御部１９は、第１の制御部１８から供給された信号に基づき書込部１４を制御する。なお、第２の制御部１９により制御された書込部１４の動作については上述と同様なので説明を省略する。
【００３７】
ステップＳ１０において、第１の制御部１８は、操作部１２から供給される早送り／頭出し再生用の制御信号が所定の時間ｔ（上述と同様に５００ｍｓ）以上連続して供給されたかどうかを判断する。制御信号が所定の時間ｔ以上連続して供給されたとき（ステップＳ９での予測が外れたとき）には、ステップＳ１１に進み、制御信号が所定の時間ｔ以上連続して供給されないとき（ステップＳ９での予測が的中したとき）には、ステップＳ１３に進む。
【００３８】
ステップＳ１１において、第１の制御部１８は、早送り再生を行うべく第１の読出部１０を制御する。第１の読出部１０は、第１の制御部１８の制御に応じて、頭出し記憶を停止し、一つ前の曲の先頭に戻り、当該曲の先頭データを読み出し、読み出したデータを書込部１４に出力する。なお、第１の読出部１０が読み出すデータは、先頭データであれば次の曲でなくてもよく、現在の曲若しくは前の曲の先頭データであってもよい。
【００３９】
ステップＳ１２において、第２の読出部１５は、記憶部１７に所定量のデータが書き込まれたときにデータを読み出しデコード部１６に供給する。
【００４０】
また、ステップＳ１３において、第１の制御部１８は、引き続き頭出し再生を行うべく第１の読出部１０を制御する。
【００４１】
ステップＳ１４において、第２の読出部１５は、記憶部１７に所定量のデータが書き込まれたときにデータを読み出しデコード部１６に供給する。
【００４２】
ここで、連続的に頭出し再生を行う場合の再生装置１の動作について図４を用いて説明する。
【００４３】
再生装置１は、例えば、図４に示すように、Ａ点においてユーザの操作により初めて早送り／頭出しキーが押圧されたときには、早送り再生をすべくディスク状記録媒体２から所定間隔でデータを読み出し、読み出したデータを書込部１４により記憶部１７に書き込み、記憶部１７に所定量のデータが書き込まれたときに第２の読出部１５によりデータを読み出し、早送り再生を行う。そして、再生装置１は、ユーザがＡ点から５００ｍｓ経過前に早送り／頭出しキーの押圧を停止したとき、頭出し再生に切り換えるべく、次の曲（２曲目）の先頭にジャンプし、当該曲の先頭データを読み出し、読み出したデータを記憶部１７に書き込み、記憶部１７に所定量のデータが書き込まれたときにデータを読み出し、通常再生が行われる。なお、１曲目から２曲目に移るときに生じる無音時間は、ｔ１である。
【００４４】
また、再生装置１は、点Ｂにおいてユーザの操作により早送り／頭出しキーが押圧されたときには、前回の再生動作が頭出し再生であったので、今回も頭出し再生であると予測し、次の曲（３曲目）の先頭にジャンプし、当該曲の先頭データを読み出し、読み出したデータを記憶部１７に書き込む。そして、再生装置１は、ユーザがＢ点から５００ｍｓ経過前に早送り／頭出しキーの押圧を停止したとき（予測が的中）、そのまま３曲目のデータを読み出し続ける。なお、２曲目から３曲目に移るときに生じる無音時間は、ｔ２であり、ｔ１よりも短時間である。従来の再生装置では、２曲目から３曲目に移るときにもｔ１分の無音時間を要していたので、本発明に係る再生装置１は、ｔ１−ｔ２分だけ早く３曲目の再生を行うことができる。
【００４５】
また、再生装置１は、点Ｃにおいてユーザの操作により早送り／頭出しキーが押圧されたときには、前回の再生動作が頭出し再生であったので、今回も頭出し再生であると予測し、次の曲（４曲目）の先頭にジャンプし、当該曲の先頭データを読み出し、読み出したデータを記憶部１７に書き込む。そして、再生装置１は、ユーザがＣ点から５００ｍｓ経過前に早送り／頭出しキーの押圧を停止したとき（予測が的中）、そのまま４曲目のデータを読み出し続ける。なお、３曲目から４曲目に移るときに生じる無音時間は、ｔ２と同様にｔ３であり、ｔ１よりも短時間である。したがって、本発明に係る再生装置１では、ｔ３−ｔ１分だけ早く４曲目の再生を行なうことができる。
【００４６】
一方、再生装置１は、点Ｄにおいてユーザの操作により早送り／頭出しキーが押圧されたときには、前回の再生動作が頭出し再生であったので、今回も頭出し再生であると予測し、次の曲（５曲目）の先頭にジャンプし、当該曲の先頭データを読み出し、読み出したデータを記憶部１７に書き込む。しかしながら、再生装置１は、ユーザがＤ点から５００ｍｓを経過しても早送り／頭出しキーを押圧し続けたときには（予測が外れたとき）、一つ前の４曲目の最終の再生位置に戻り、早送り再生を行うべく、４曲目の続きから所定間隔でデータを読み出す。なお、４曲目の途中から早送り再生を行うときに生じる無音時間は、ｔ１と同様にｔ４である。
【００４７】
このように構成された再生装置１は、ディスク状記録媒体２からデータを読み出す第１の読出部１０と、読み出したデータを記憶部１７に書き込む書込部１４と、ユーザの操作に応じて早送り／頭出し再生用の操作信号を生成する操作部１２と、供給された操作信号に基づき第１の読出部１０を制御する制御信号を生成する第１の制御部１８と、第１の制御部１８から供給された信号に基づき書込部１４を制御する第２の制御部１９を備え、操作部１２から早送り／頭出し再生用の操作信号が供給されたときに、記憶部１７に書き込まれているデータを全て消去せずに、所定量のデータを残し、また、前回の再生動作に基づいて再生（記憶）動作を予測、すなわち、早送り／頭出し再生用の制御信号の連続供給時間を予測し、頭出し再生（記憶）又は早送り再生（記憶）を行い、頭出し再生が連続したときに無駄な早送り記憶を行わないので、無駄な早送り記憶の際に生ずる電力消費を無くすことができ、かつ頭出し再生を短時間で行うことができる。
【００４８】
なお、早送り再生か頭出し再生かを予測する方法は、上記例に限らず、例えば、前回の操作信号の供給から一定時間以上経過している場合には、早送り再生であると予測し、一方、一定時間以内である場合には、頭出し再生であると予測しても良いし、ユーザによる過去の操作の統計結果から予測しても良い。
【図面の簡単な説明】
【００４９】
【図１】本発明に係る再生装置の構成を示すブロック図である。
【図２】本発明に係る再生装置により頭出し／早送り再生を行う際の様子を示すフローチャートである。
【図３】本発明に係る再生装置に備えられている書込部によりデータが書き込まれる記憶部の構造を示す模式図である。
【図４】本発明に係る再生装置により連続的な頭出し再生を行う際の記憶部へのデータ書き込み及びデータ読み出しの様子を時系列的に示す遷移図である。
【図５】従来の再生装置により連続的な頭出し再生を行う際の記憶部へのデータの書き込み及びデータ読み出しの様子を時系列的に示す遷移図である。
【図６】従来の再生装置により頭出し／早送り再生を行う際の様子を示すフローチャートである。
【符号の説明】
【００５０】
１  再生装置、２  ディスク状記録媒体、１０  第１の読出部、１１  処理部、１２  操作部、１３  制御部、１４  書込部、１５  第２の読出部、１６  デコード部、１７  記憶部、１８  第１の制御部、１９  第２の制御部
【図１】
2005038533.tif 000003
【図２】
2005038533.tif 000004
【図３】
2005038533.tif 000005
【図４】
2005038533.tif 000006
【図５】
2005038533.tif 000007
【図６】
2005038533.tif 000008